(57)【要約】【課題】２種類の取り付け角度に対応可能な灯器および灯器の取り付け構造を提供する。【解決手段】支柱３に取り付けられるアダプタ４は、支柱３の軸方向ａに垂直な面ｂに対して第１の角度（Ａ）で傾斜した取り付け面５を有すると共に、支柱３に取り付ける向きを１８０度切り替え可能であり、灯器６は、光の照射方向ｃに垂直な面ｄに対して第２の角度（Ｂ）で傾斜した被取り付け面８を有し、アダプタ４の取り付け面５に被取り付け面８を当接させて取り付けられる。支柱３にアダプ４を取り付ける向きを１８０度切り替えることで、灯器の設置角度（光の照射方向ｃ）が、基準方向ａに対して、Ｂ＋Ａと、Ｂ−Ａに切り替わる。【選択図】図２
2014036005.tif 000002
【特許請求の範囲】
【請求項１】
支持体側の取り付け面と、灯器側の被取り付け面とを当接させて灯器を支持体に取り付ける灯器の取り付け構造であって、
前記取り付け面は所定の基準方向に垂直な面に対して第１の角度で傾斜しており、
前記被取り付け面は前記灯器からの光の照射方向に垂直な面に対して第２の角度で傾斜しており、
前記取り付け面の傾斜方向の一端側に前記被取り付け面の傾斜方向の一端側が位置し前記取り付け面の傾斜方向の他端側に前記被取り付け面の傾斜方向の他端側が位置する向きで前記取り付け面と前記被取り付け面を当接させた第１設置状態と、前記取り付け面の傾斜方向の他端側に前記被取り付け面の傾斜方向の一端側が位置し前記取り付け面の傾斜方向の一端側に前記被取り付け面の傾斜方向の他端側が位置する向きで前記取り付け面と前記被取り付け面を当接させた第２設置状態とに切り替えることで、設置時の前記照射方向が、前記基準方向に対して、第２の角度−第１の角度と、第２の角度＋第１の角度に切り替わる
ことを特徴とする灯器の取り付け構造。
【請求項２】
前記支持体側の取り付け面は、前記支持体に取り付けるアダプタが有し、
前記アダプタは、前記支持体への取り付け向きを、前記基準方向を軸にして１８０度切り替え可能にされており、
前記アダプタを前記支持体に取り付ける向きを前記１８０度切り替えることで前記第１設置状態と前記第２設置状態とに切り替える
ことを特徴とする請求項１に記載の灯器の取り付け構造。
【請求項３】
前記支持体は、支柱であり、
前記アダプタは前記支柱の先端に取り付けられ、
前記基準方向は、前記支柱の軸方向である
ことを特徴とする請求項２に記載の灯器の取り付け構造。
【請求項４】
前記第２の角度は前記第１の角度以上である
ことを特徴とする請求項１乃至３のいずれか１つに記載の灯器の取り付け構造。
【請求項５】
所定の支持体に取り付けられるアダプタと、このアダプタに取り付けられる灯器本体とを有する灯器であって、
前記アダプタは、所定の基準方向に垂直な面に対して第１の角度で傾斜した取り付け面を有すると共に、前記支持体への取り付け向きを、前記基準方向を軸にして１８０度切り替え可能にされており、
前記灯器本体は、光の照射方向に垂直な面に対して第２の角度で傾斜した被取り付け面を有し、前記アダプタの前記取り付け面に前記被取り付け面を当接させて取り付けられ、
前記取り付け面の傾斜方向の一端側に前記被取り付け面の傾斜方向の一端側が位置し前記取り付け面の傾斜方向の他端側に前記被取り付け面の傾斜方向の他端側が位置する向きで前記取り付け面と前記被取り付け面を当接させた第１設置状態と、前記取り付け面の傾斜方向の他端側に前記被取り付け面の傾斜方向の一端側が位置し前記取り付け面の傾斜方向の一端側に前記被取り付け面の傾斜方向の他端側が位置する向きで前記取り付け面と前記被取り付け面を当接させた第２設置状態とに、前記アダプタの前記支持体への取り付け向きを前記１８０度切り替えることによって切り替えることで、設置時の前記照射方向が、前記基準方向に対して、第２の角度−第１の角度と、第２の角度＋第１の角度に切り替わる
ことを特徴とする灯器。
【請求項６】
前記支持体は、支柱であり、
前記アダプタは前記支柱の先端に取り付けられ、
前記基準方向は、前記支柱の軸方向である
ことを特徴とする請求項５に記載の灯器。
【請求項７】
前記第２の角度は前記第１の角度以上である
ことを特徴とする請求項５または６に記載の灯器。
【発明の詳細な説明】
【技術分野】
【０００１】
本発明は、支柱などの支持体に取り付けられる灯器および灯器の取り付け構造に関する。
【背景技術】
【０００２】
道路の脇に立設された支柱に灯器を取り付けて下方の道路を照明する道路照明装置では、照明対象の道路の幅が狭い場合と広い場合とで灯器の設置角度を変更することが行われる。たとえば、道路の幅が狭い場合は光の照射方向が鉛直下方に対して道路の対岸側へ約５度傾斜するように設置し、照明対象の道路の幅が広い場合は光の照射方向が道路の対岸側へ約１５度傾斜するように設置するといったことが行われる。
【０００３】
従来は、設置場所による取り付け角度の違いに対応するために、角度毎に個別のアダプタを用意していた。また、垂直と水平とに灯器の取り付け角度を切り替え可能な灯器がある（特許文献１参照）。
【先行技術文献】
【特許文献】
【０００４】
【特許文献１】実開昭５９−５１４０６号公報
【発明の概要】
【発明が解決しようとする課題】
【０００５】
設置場所毎にそれに応じた取り付け角度のアダプタを個別に用意する手法では、納期や価格、作業効率に問題があり、さらには、生産管理に手間がかかってしまう。また、特許文献１では９０度異なる２方向にしか取り付け方向を切り替えられない。
【０００６】
本発明は、上記の問題を解決しようとするものであり、複数のアダプタを用意することなく、任意の２種類の取り付け角度に設置可能な灯器および灯器の取り付け構造を提供することを目的としている。
【課題を解決するための手段】
【０００７】
かかる目的を達成するための本発明の要旨とするところは、次の各項の発明に存する。
【０００８】
［１］支持体側の取り付け面と、灯器側の被取り付け面とを当接させて灯器を支持体に取り付ける灯器の取り付け構造であって、
前記取り付け面は所定の基準方向に垂直な面に対して第１の角度で傾斜しており、
前記被取り付け面は前記灯器からの光の照射方向に垂直な面に対して第２の角度で傾斜しており、
前記取り付け面の傾斜方向の一端側に前記被取り付け面の傾斜方向の一端側が位置し前記取り付け面の傾斜方向の他端側に前記被取り付け面の傾斜方向の他端側が位置する向きで前記取り付け面と前記被取り付け面を当接させた第１設置状態と、前記取り付け面の傾斜方向の他端側に前記被取り付け面の傾斜方向の一端側が位置し前記取り付け面の傾斜方向の一端側に前記被取り付け面の傾斜方向の他端側が位置する向きで前記取り付け面と前記被取り付け面を当接させた第２設置状態とに切り替えることで、設置時の前記照射方向が、前記基準方向に対して、第２の角度−第１の角度と、第２の角度＋第１の角度に切り替わる
ことを特徴とする灯器の取り付け構造。
【０００９】
上記発明では、支持体側の取り付け面と、灯器側の被取り付け面との相対位置を１８０度変更するだけで、設置時の光の照射方向を、２種類に切り替えることができる。また、支持体側の取り付け面と灯器側の被取り付け面の双方を傾斜させることで、基準方向に対して切り替え可能な２種類の角度を、第１の角度と第２の角度の組み合わせにより、任意に設定することができる。
【００１０】
［２］前記支持体側の取り付け面は、前記支持体に取り付けるアダプタが有し、
前記アダプタは、前記支持体への取り付け向きを、前記基準方向を軸にして１８０度切り替え可能にされており、
前記アダプタを前記支持体に取り付ける向きを前記１８０度切り替えることで前記第１設置状態と前記第２設置状態とに切り替える
ことを特徴とする［１］に記載の灯器の取り付け構造。
【００１１】
上記［２］および下記［５］に記載の発明では、支持体にアダプタを取り付ける向きを１８０度変更することで、設置時の光の照射方向を、２種類に切り替えることができる。また、アダプタ側の取り付け面と灯器側の被取り付け面の双方を傾斜させることで、基準方向に対して切り替え可能な２種類の角度を、第１の角度と第２の角度の組み合わせにより、任意に設定することができる。
【００１２】
［３］前記支持体は、支柱であり、
前記アダプタは前記支柱の先端に取り付けられ、
前記基準方向は、前記支柱の軸方向である
ことを特徴とする［２］に記載の灯器の取り付け構造。
【００１３】
［４］前記第２の角度は前記第１の角度以上である
ことを特徴とする［１］乃至［３］のいずれか１つに記載の灯器の取り付け構造。
【００１４】
上記［４］および下記［７］に記載の発明では、切り替え可能な２種類の角度を、基準方向に対して同一方向側（たとえば、支柱の右側の範囲）に設定することができる。
【００１５】
［５］所定の支持体に取り付けられるアダプタと、このアダプタに取り付けられる灯器本体とを有する灯器であって、
前記アダプタは、所定の基準方向に垂直な面に対して第１の角度で傾斜した取り付け面を有すると共に、前記支持体への取り付け向きを、前記基準方向を軸にして１８０度切り替え可能にされており、
前記灯器本体は、光の照射方向に垂直な面に対して第２の角度で傾斜した被取り付け面を有し、前記アダプタの前記取り付け面に前記被取り付け面を当接させて取り付けられ、
前記取り付け面の傾斜方向の一端側に前記被取り付け面の傾斜方向の一端側が位置し前記取り付け面の傾斜方向の他端側に前記被取り付け面の傾斜方向の他端側が位置する向きで前記取り付け面と前記被取り付け面を当接させた第１設置状態と、前記取り付け面の傾斜方向の他端側に前記被取り付け面の傾斜方向の一端側が位置し前記取り付け面の傾斜方向の一端側に前記被取り付け面の傾斜方向の他端側が位置する向きで前記取り付け面と前記被取り付け面を当接させた第２設置状態とに、前記アダプタの前記支持体への取り付け向きを前記１８０度切り替えることによって切り替えることで、設置時の前記照射方向が、前記基準方向に対して、第２の角度−第１の角度と、第２の角度＋第１の角度に切り替わる
ことを特徴とする灯器。
【００１６】
［６］前記支持体は、支柱であり、
前記アダプタは前記支柱の先端に取り付けられ、
前記基準方向は、前記支柱の軸方向である
ことを特徴とする［５］に記載の灯器。
【００１７】
［７］前記第２の角度は前記第１の角度以上である
ことを特徴とする［５］または［６］に記載の灯器。
【発明の効果】
【００１８】
本発明に係る灯器および灯器の取り付け構造によれば、複数のアダプタを用意することなく、任意の２種類の角度に設置することができる。
【図面の簡単な説明】
【００１９】
【図１】本発明の実施の形態に係る取り付け構造を模式的に示す図である。
【図２】本発明の実施の形態に係る取り付け構造で灯器を取り付けた状態を模式的に示す図である。
【図３】本発明の実施例に係る灯器を有する街路灯を示す説明図である。
【図４】本発明の実施例に係る灯器を示す斜視図である。
【図５】本発明の実施例に係る灯器の正面、下面、上面、背面、側面を示す図である。
【図６】本発明の実施例に係る灯器の本体底面部を示す斜視図である。
【図７】本発明の実施例に係る灯器の本体底面部を示す上面図である。
【図８】本発明の実施例に係る灯器の本体底面部を示すＢ−Ｂ断面図である。
【図９】本発明の実施例に係るアダプタの正面、上面、側面、背面を示す図である。
【図１０】本発明の実施例に係るアダプタに灯器（本体底面部）を取り付けた状態を示す説明図である。
【発明を実施するための形態】
【００２０】
以下、図面に基づき本発明の実施の形態を説明する。
【００２１】
図１は、本発明の実施の形態に係る灯器およびその取り付け構造を模式的に示している。この取り付け構造は、所定の支持体３にアダプタ４を介して灯器本体６を取り付ける。
【００２２】
アダプタ４は、所定の基準方向ａに垂直な面ｂに対して第１の角度（Ａ）で傾斜した取り付け面５を有する。アダプタ４の取り付け面５の傾斜方向の一端を端ｐ、他端を端ｑとする。ここでは、支持体３は、断面長方形の支柱３とする。アダプタ４はこの支柱３の先端に取り付けられる。アダプタ４は、支柱３の先端に密に外嵌する断面矩形で中空の筒状を成しており、その下端は開口され、上端は取り付け面５となっている。基準方向ａは、支柱３の軸方向となっている。
【００２３】
アダプタ４は、支持体（支柱）３への取り付け向きを、基準方向ａを軸にして１８０度切り替え可能にされている。図１では、取り付け面５が右下がりに傾斜した状態となる第１の向きに取り付けた場合を示しており、この状態と１８０度異なる第２の向きにすると、取り付け面５は左下がりに傾斜する。
【００２４】
灯器本体６は、発光モジュールなどが内蔵された発光部７とアダプタ４の取り付け面５に当接して取り付けられる被取り付け面８を有する。被取り付け面８は、灯器本体から射出される光の照射方向ｃに垂直な面ｄに対して第２の角度（Ｂ）だけ傾斜している。被取り付け面８の傾斜方向の一端を端ｒ、他端を端ｓとする。当接される際には、取り付け面５の傾斜方向（最大傾斜方向）と被取り付け面８の傾斜方向（最大傾斜方向）とは平行にされる。
【００２５】
図２は、支柱３にアダプタ４を介して灯器本体６を取り付けた状態を示している。ここでは、支持体（支柱）３は地面に対して垂直に立設されているものとする。また、図中で、灯器本体６の発光部７は、支持体（支柱）３の右側になるように取り付けられて、支持体（支柱）３の右側の地面を照明するものとする。
【００２６】
同図（ａ）は、支持体（支柱）３に第１の向きで取り付けたアダプタ４の取り付け面５に、灯器本体６の被取り付け面８を当接させて取り付けた第１設置状態を示している。第１設置状態では、アダプタ４の取り付け面５の傾斜方向の一端ｐ側に灯器本体６の被取り付け面８の傾斜方向の一端ｒ側が位置しかつ取り付け面５の傾斜方向の他端ｑ側に被取り付け面８の傾斜方向の他端ｓ側が位置する向きで取り付け面５と被取り付け面８とが当接される。この取り付け方では、光の照射方向ｃは、基準方向ａに対して角度（Ｂ−Ａ）だけ傾斜した方向になる。
【００２７】
同図（ｂ）は、支持体（支柱）３に第２の向きで取り付けたアダプタ４の取り付け面５に、灯器本体６の被取り付け面８を当接させて取り付けた第２設置状態を示している。第２設置状態では、アダプタ４の取り付け面５の傾斜方向の他端ｑ側に灯器本体６の被取り付け面８の傾斜方向の一端ｒ側が位置しかつ取り付け面５の傾斜方向の一端ｐ側に被取り付け面８の傾斜方向の他端ｓ側が位置する向きで取り付け面５と被取り付け面８とが当接される。この取り付け方では、光の照射方向ｃは、基準方向ａに対して角度（Ｂ＋Ａ）だけ傾斜した方向になる。
【００２８】
たとえば、角度Ｂを１０度、角度Ａを５度とすると、同図（ａ）の取り付け状態では、灯器本体６からの光の照射方向は、鉛直下方に対して右方向へ５度傾斜した角度となる。同図（ｂ）の取り付け状態では、光の照射方向は鉛直下方に対して右方向へ１５度傾斜した角度となる。
【００２９】
このように、支持体（支柱）３にアダプタ４を取り付ける向きを１８０度変更するだけで、光の照射角度、言い換えると、灯器本体６の設置角度を、２種類に切り替えることができる。
【００３０】
また、アダプタ４の取り付け面５と灯器本体６の被取り付け面８の双方を傾斜させるので、切り替えを希望する２種類の照射角度（設置角度）を任意に選択することができる。たとえば、アダプタ４の取り付け面５のみを傾斜させた場合（傾斜角度＝Ａとする）、２種類の照射角度は、基準方向ａを中心に＋−Ａの角度にしか設定できない。これに対し、灯器本体６の被取り付け面８も傾斜させる（傾斜角度＝Ｂとする）と、切り替え可能な２種類の照射角度の中心の角度を任意の角度に設定することができる。
【００３１】
すなわち、切り替えを希望する２種類の角度（たとえば、５度と１５度）のうち、大きい方の角度と小さい方の角度の中央の角度を上記の角度Ｂ（照射方向ｃに垂直な面に対する被取り付け面８の傾斜角度）とし、大きい方の角度と小さい方向の角度の差分の２分の１を上記の角度Ａ（基準方向ａに垂直な面ｂに対する取り付け面５の傾斜角度）に設定すれば、Ｂ＋ＡとＢ−Ａの２種類の照射角度（設置角度）を得ることができる。
【００３２】
また、Ｂ≧Ａの関係にあれば、２種類の照射角度のいずれにおいても、光の照射方向が基準方向ａと交差することなく、支持体（支柱）３に対して同一方向側（図２の例では支柱３の右側）が照明される。
【００３３】
上記の例では、支持体３は支柱であったが、壁面などでもかまわない。なお、アダプタ４を設けずに、支柱３の先端に直接、取り付け面５を設け、希望する照射角度に応じて設置時の支柱３の向きを１８０度切り替えるようにしてもよい。また、支柱３は固定しておき、灯器本体６側の向きを１８０度切り替えるようにしてもよい。たとえば、灯器本体６の側部から突出するように被取り付け面８が設けて有って被取り付け面８が前後方向に傾斜している場合、支柱３の右側に灯器本体６を取り付けるか、左側に灯器本体６を取り付けるかによって、支柱３の先端の取り付け面５に対して被取り付け面８の向きを１８０度切り替えることができる。
【実施例】
【００３４】
図３は、本発明の実施例に係る灯器１０を含む街路灯２の上端近傍部分を示す図である。街路灯２は、道路の脇や交差点の隅などに設置されて、上方から道路およびその周辺を照明する機能を果たす。街路灯２は、地面から鉛直に立設された支柱３と、支柱３の上端に取り付けられて下方を照明する灯器１０とから構成される。
【００３５】
図４は、灯器１０を斜め前方上方から見た斜視図である。図５は、灯器１０の正面、下面、上面、背面、側面を示す。灯器１０は、下面側に光の照射口を有する筐体１１と、この筐体１１に収容された複数の発光モジュールと、発光モジュールを駆動する図示省略の制御回路などで構成される。
【００３６】
灯器１０の筐体１１は、本体部２０と、上蓋部４０と、開閉カバー１２とから構成される。本体部２０は、灯器１０を支柱３に取り付けるためのアダプタやこのアダプタに当接される被取り付け面のほか発光モジュールの制御回路などを収容する基部２１と、基部２１から前方へ延設された本体底面部２２とから構成される。基部２１の底面には、支柱３の先端が挿入される開口２７が形成されている。開閉カバー１２は、基部２１の上面を開閉可能に覆う。
【００３７】
上蓋部４０は、本体底面部２２の上に被せてネジ止めされ、本体底面部２２と組み合わされて略長方形の薄い中空の箱形状を形成する。この中に発光モジュールが収容される。
【００３８】
本体部２０（透光板２６を除く）、上蓋部４０、開閉カバー１２はそれぞれ、溶かした金属を鋳型に流し込み、冷却、凝固させて製作された鋳造品である。
【００３９】
図６は、本体部２０を示す斜視図である。図７は、本体部２０を示す上面図（本体部２０の内側を上方から見た図）である。基部２１から一体に形成されて延びる本体底面部２２は、横長の略長方形の平らな底板部２３と、その周縁から上向きに立設された側壁２４と、底板部２３の中央に開口された該底板部２３より一回り小さい略長方形の照射口２５と、この照射口２５を内側から覆うようにパッキンを挟んで取り付けられる透光板２６（図５参照）とを備えて構成される。透光板２６は、光を透過する板状部材であり、ガラスや樹脂などで構成される。図６はパッキンおよび透光板を取り外した状態を示している。
【００４０】
基部２１の内側の底面には、支柱３の先端が挿入される開口２７が設けてあり、その周囲に４本の固定柱３１が立設されており、これら４本の固定柱３１の上面が被取り付け面３２になっている。
【００４１】
図８は、本体部２０の図７におけるＢ−Ｂ断面図を示す。４本の固定柱３１の上面は同一平面上にあって傾斜した被取り付け面３２を成している。被取り付け面３２は、灯器１０が射出する光の照射方向ｃに垂直な面ｄに対して第２の角度（Ｂ）だけ傾斜している。ここでは第２の角度（Ｂ）は１０度になっている。図１と同様に被取り付け面３２の傾斜方向の一端を端ｒ、他端を端ｓとする。
【００４２】
図９は、アダプタ５０の正面、上面、側面、背面を示す。アダプタ５０は、筒状を成しており、その下端の開口に支柱３の先端が挿入されて、支柱３の先端に固定される。支柱３にアダプタ５０を取り付け可能な向きは、第１の向きと、この第１の向きに対して１８０度異なる第２の向きの２方向のみとなっている。具体的には、支柱３の先端に断面楕円の位置合わせ突起が設けて有り、アダプタ５０の上面にはこの位置合わせ突起に対応した楕円形の位置決め開口５２が形成されている。アダプタ５０を支柱３の先端に被せる際に支柱３の先端の位置合わせ突起を位置決め開口５２に挿入することで、アダプタ５０を支柱３に取り付け可能な向きは１８０度異なる２方向のみに制限される。１８０度異なる２方向にのみ取り付け方向を規制する方法は上述の構造に限定されず、任意でよい。
【００４３】
アダプタ５０の長手方向の中央付近には、外方へ矩形に広がった鍔部５４が設けてある。鍔部５４は、アダプタ５０の軸方向（基準方向ａ）に垂直な面ｂに対して第１の角度（Ａ）だけ傾斜しており、鍔部５４の下面は、本体部２０の固定柱３１の上面（被取り付け面３２）に当接される取り付け面５６になっている。図１と同様に取り付け面５６の傾斜方向の一端を端ｐ、他端を端ｑとする。ここでは、第１の角度（Ａ）は５度になっている。また、鍔部５４には、取り付け時に本体部２０側の各固定柱３１の上面と当接する箇所に、ネジ穴５８が形成されている。
【００４４】
図１０は、アダプタ５０を介して灯器１０の本体部２０を支柱３に取り付けた状態を示している。取り付け手順は、まず、本体部２０の開口２７に支柱３の先端を通した後に、支柱３の先端にアダプタ５０を取り付け、その後、本体部２０をその固定柱３１の上面（被取り付け面３２）がアダプタ５０の鍔部５４の下面（取り付け面５６）に当接するまで持ち上げ、鍔部５４に開設されたネジ穴５８に上方から通したネジで本体部２０をアダプタ５０に固定する。取り付け時には、アダプタ５０側の取り付け面５６の傾斜方向（最大傾斜方向）と、本体部２０側の被取り付け面３２の傾斜方向（最大傾斜方向）は平行にされる。
【００４５】
図１０（ａ）は、図中、支柱３にアダプタ５０を、取り付け面５６が右下がりに傾斜した第１の向きになるようにして取り付けた場合の第１設置状態を示している。第１設置状態では、アダプタ５０の取り付け面５６の傾斜方向の一端ｐ側に本体部２０の被取り付け面３２の傾斜方向の一端ｒ側が位置しかつ取り付け面５６の傾斜方向の他端ｑ側に被取り付け面３２の傾斜方向の他端ｓ側が位置する向きで取り付け面５６と被取り付け面３２とが当接される。この取り付け方では、光の照射方向ｃは、基準方向ａに対して角度（Ｂ−Ａ）、すなわち、１０度−５度＝５度、傾斜した方向になる。
【００４６】
図１０（ｂ）は、支柱３にアダプタ５０を、取り付け面５６が左下がりに傾斜した第２の向きになるようにして取り付けた場合の第２設置状態を示している。第２設置状態では、アダプタ５０の取り付け面５６の傾斜方向の他端ｑ側に本体部２０の被取り付け面３２の傾斜方向の一端ｒ側が位置しかつ取り付け面５６の傾斜方向の一端ｐ側に被取り付け面３２の傾斜方向の他端ｓ側が位置する向きで取り付け面５６と被取り付け面３２とが当接される。この取り付け方では、光の照射方向ｃは、基準方向ａに対して角度（Ｂ＋Ａ）、すなわち、１０度＋５度＝１５度、傾斜した方向になる。
【００４７】
たとえば、支柱３を鉛直に立設した場合、この先端に取り付けたアダプタ５０の軸方向（基準方向ａ）も鉛直になるので、光の照射方向は同図（ａ）の場合、鉛直下方に対して右方向へ５度傾斜した角度となり、同図（ｂ）の場合、鉛直下方に対して右方向へ１５度傾斜した角度になる。
【００４８】
同図（ａ）の取り付け方は、たとえば、片側１車線の道路のように幅の狭い道路の脇に街路灯２を設置する場合に適しており、同図（ｂ）の取り付け方は、片側３車線の道路のように幅の広い道路の脇に街路灯２を設置する場合に適する。
【００４９】
このように、支柱３にアダプタ５０を取り付ける向きを１８０度変更するだけで、光の照射角度、言い換えると、灯器１０の設置角度を、２種類に切り替えることができる。これにより、５度傾斜した標準取り付け用のアダプタと、１５度傾斜した３車線用のアダプタとを１つのアダプタで兼用することができ、専用のアダプタを個別に用意する場合に比べて、生産コストや管理コストが低下すると共に、設置現場が確定する前の計画生産が可能となり、納期の面で有利になる。
【００５０】
以上、本発明の実施の形態及び実施例を図面によって説明してきたが、具体的な構成は実施の形態および実施例に示したものに限られるものではなく、本発明の要旨を逸脱しない範囲における変更や追加があっても本発明に含まれる。
【００５１】
灯器１０は街路灯２に使用されるものに限定されない。また、筐体１１の形状は実施例で例示したものに限らず、任意でよい。発光モジュールはＬＥＤで構成されたものに限らず、他の方式の発光体でもよい。
【００５２】
実施の形態や実施例で示した第１の角度（Ａ）、第２の角度（Ｂ）の具体的な値は例示であり、他の角度でもかまわない。
【符号の説明】
【００５３】
２…街路灯
３…支持体、支柱
４…アダプタ
５…取り付け面
６…灯器本体
７…発光部
８…被取り付け面
１０…灯器
１１…筐体
１２…開閉カバー
２０…本体部
２１…基部
２２…本体底面部
２４…側壁
２５…照射口
２６…透光板
２７…開口
３１…固定柱
３２…被取り付け面
４０…上蓋部
５０…アダプタ
５２…位置決め開口
５４…鍔部
５６…取り付け面
５８…ネジ穴
【図１】
2014036005.tif 000003
【図２】
2014036005.tif 000004
【図３】
2014036005.tif 000005
【図４】
2014036005.tif 000006
【図５】
2014036005.tif 000007
【図６】
2014036005.tif 000008
【図７】
2014036005.tif 000009
【図８】
2014036005.tif 000010
【図９】
2014036005.tif 000011
【図１０】
2014036005.tif 000012